(57)【要約】【課題】制御信号の保持制御及び連続調整を提供し、任意の時点での制御信号の開始を提供し、収束を確認するためにシステムを一段階上又は下に補正させることなく高速に収束することを提供するフィードフォワード増幅器の制御回路。【解決手段】制御回路４３０は、サンプリング済み出力信号４１５を受信する。非オフセット制御信号発生器４４０は、非オフセット制御信号をサンプリング済み出力信号に基づいて生成し、オフセット電圧発生器４５０は、テーブルに保存される電圧を参照するか、又は非オフセット制御信号に基づいてオフセット電圧を生成する。次に、制御回路は、非オフセット制御信号をオフセット電圧と合成して制御信号４７０を生成する。制御信号に基づいて、フィードフォワード増幅器は、エラー信号４２２を調整して、フィードフォワード増幅器の歪を小さくすることが可能な調整済みエラー信号４２５を生成する。【選択図】      図４
2005027308.tif 000002
【特許請求の範囲】
【請求項１】
フィードフォワード増幅器の歪を補正する方法であって、
入力信号及び増幅済みの前記入力信号に基づいてエラー信号を求めること、
出力信号をサンプリングして減衰出力信号を生成すること、
前記減衰出力信号に基づいて非オフセット制御信号を生成すること、
オフセット電圧を生成すること、
前記非オフセット制御信号を前記オフセット電圧と合成して制御信号を生成すること、
前記制御信号に基づいて前記エラー信号を調整して、前記フィードフォワード増幅器の歪を小さくすることが可能な調整済みエラー信号を生成することを備える方法。
【請求項２】
非オフセット制御信号を生成することは、
前記減衰出力信号の電力を検出して検出信号を生成すること、
前記検出信号を基準信号に関連付けて相関信号を生成すること、
前記相関信号を積分して非オフセット制御信号を生成することを備える、請求項１記載の方法。
【請求項３】
非オフセット電圧を生成することは、保存オフセット電圧及び前記非オフセット制御信号のうちの一つに基づいてオフセット電圧を生成することを備える、請求項１記載の方法。
【請求項４】
前記減衰出力信号、前記非オフセット制御信号及び前記制御信号は第１減衰出力信号、第１非オフセット制御信号及び第１制御信号をそれぞれ含み、方法は更に
前記出力信号をサンプリングして第２減衰出力信号を生成すること、
前記第２減衰出力信号に基づいて第２非オフセット制御信号を生成すること、
前記第２非オフセット制御信号を前記オフセット電圧と合成して第２制御信号を生成すること、
前記第２制御信号に基づいて前記エラー信号を再調整することを備える、請求項１記載の方法。
【請求項５】
前記減衰出力信号、前記非オフセット制御電圧、前記オフセット電圧及び前記制御信号は第１減衰出力信号、第１非オフセット制御電圧、第１オフセット電圧及び第１制御信号をそれぞれ含み、方法は更に、
ある期間が終了した時点を判断すること、
前記期間が終了したときに、
前記出力信号をサンプリングして第２減衰出力信号を生成すること、
前記第２減衰出力信号に基づいて第２非オフセット制御信号を生成すること、
第２オフセット電圧を生成すること、
前記第２非オフセット制御信号を前記第２オフセット電圧と合成して第２制御信号を生成すること、
前記第２制御信号に基づいて前記エラー信号を再調整することを備える、請求項１記載の方法。
【請求項６】
前記減衰出力信号、前記非オフセット制御電圧、前記オフセット電圧及び前記制御信号は、第１減衰出力信号、第１非オフセット制御電圧、第１オフセット電圧及び第１制御信号をそれぞれ含み、方法は更に、
ある期間が終了した時点を判断すること、
前記オフセット電圧がほぼゼロに等しいかどうかを判断すること、
前記期間が終了し、かつ前記オフセット電圧がほぼゼロに等しくないときに、
前記出力信号をサンプリングして第２減衰出力信号を生成すること、
前記第２減衰出力信号に基づいて第２非オフセット制御信号を生成すること、
第２オフセット電圧を生成すること、
前記第２非オフセット制御信号を前記第２オフセット電圧と合成して第２制御信号を生成すること、
前記第２制御信号に基づいて前記エラー信号を再調整することを備える、請求項１記載の方法。
【請求項７】
前記入力信号は第１入力信号を含み、前記制御信号は第１制御信号を含み、方法は更に、
前記第１制御信号の電圧レベルを保存する工程と、
前記第１入力信号を前記フィードフォワード増幅器から切り離す工程と、
前記オフセット電圧を調整して前記第１制御信号の電圧を前記保存制御電圧レベルにほぼ等しいレベルに維持する工程と、
前記第１入力信号の切り離しに応答して、前記調整済みオフセット電圧に基づいて第２制御信号を生成する工程と、
第２入力信号を受信する工程と、
前記第２入力信号に基づいて第２エラー信号を生成する工程と、
前記第２エラー信号のゲイン又は位相を前記第２制御信号に基づいて調整する工程と、を備える方法。
【請求項８】
フィードフォワード増幅器の歪を補正する装置であって、減衰後の出力信号を受信し、前記減衰出力信号に基づいて非オフセット制御信号を生成し、オフセット電圧を生成し、前記非オフセット制御信号を前記オフセット電圧と合成して制御信号を生成する制御回路を備え、前記制御信号は、エラー信号を調整して、前記フィードフォワード増幅器の歪を小さくすることが可能な調整済みエラー信号を生成させることが可能である、装置。
【請求項９】
前記制御回路は非オフセット制御信号発生器を備え、該非オフセット制御信号発生器は、前記減衰出力信号の電力を検出して検出信号を生成し、前記検出信号を基準信号に関連付けて相関信号を生成し、前記相関信号を積分して非オフセット制御信号を生成することにより、前記非オフセット制御信号を生成する、請求項８記載の装置。
【請求項１０】
前記制御回路はオフセット電圧発生器を備え、該オフセット電圧発生器は、前記オフセット電圧を保存オフセット電圧及び前記非オフセット制御信号のうちの一つに基づいて生成する、請求項８記載の装置。
【請求項１１】
前記減衰出力信号、前記非オフセット制御信号及び前記制御信号は、第１減衰出力信号、第１非オフセット制御信号及び第１制御信号をそれぞれ含み、前記制御回路は更に、前記出力信号をサンプリングして第２減衰出力信号を生成し、前記第２減衰出力信号に基づいて第２非オフセット制御信号を生成し、前記第２非オフセット制御信号を前記オフセット電圧と合成して、前記エラー信号を再調整させることが可能な第２制御信号を生成する、請求項８記載の装置。
【請求項１２】
前記減衰出力信号、前記非オフセット制御電圧、前記オフセット電圧及び前記制御信号は、第１減衰出力信号、第１非オフセット制御電圧、第１オフセット電圧及び第１制御信号をそれぞれ含み、前記制御回路は更に、ある期間が終了したかどうかを判断し、前記期間が終了したときに、前記出力信号をサンプリングして第２減衰出力信号を生成し、前記第２減衰出力信号に基づいて第２非オフセット制御信号を生成し、第２オフセット電圧を生成し、前記第２非オフセット制御信号を前記第２オフセット電圧と合成して、前記エラー信号を再調整させることが可能な第２制御信号を生成する、請求項８記載の装置。
【請求項１３】
前記減衰出力信号、前記非オフセット制御電圧、前記オフセット電圧及び前記制御信号は、第１減衰出力信号、第１非オフセット制御電圧、第１オフセット電圧及び第１制御信号をそれぞれ含み、前記制御回路は更に、ある期間が終了したかどうかを判断し、前記オフセット電圧がほぼゼロに等しいかどうかを判断し、前記期間が終了し、かつ前記オフセット電圧がほぼゼロに等しくない場合に、前記出力信号をサンプリングして第２減衰出力信号を生成し、前記第２減衰出力信号に基づいて第２非オフセット制御信号を生成し、第２オフセット電圧を生成し、前記第２非オフセット制御信号を前記第２オフセット電圧と合成して、前記エラー信号を再調整させることが可能な第２制御信号を生成する、請求項８記載の装置。
【請求項１４】
前記出力信号は第１入力信号に基づき、前記制御信号は第１制御信号を含み、前記エラー信号は第１エラー信号を含み、前記装置は更にフィードフォワード補正回路を備え、該フィードフォワード補正回路は、前記第１入力信号及び増幅済みの前記第１入力信号に基づいて前記第１エラー信号を求め、前記第１制御信号に基づいて前記第１エラー信号を調整し、前記制御回路は更に、前記第１制御信号の電圧レベルを保存し、前記オフセット電圧を調整して前記第１制御信号の電圧を前記保存制御電圧レベルにほぼ等しいレベルに維持し、前記第１入力信号の切り離しに応答して、前記調整済みオフセット電圧に基づいて第２制御信号を生成し、前記フィードフォワード補正回路は更に、第２入力信号に基づいて第２エラー信号を生成し、前記第２制御信号に基づいて前記第２エラー信号のゲイン又は位相を調整する、請求項８記載の装置。
【請求項１５】
送信機を有する通信デバイスであって、
入力信号を受信し、前記入力信号を増幅して増幅信号を生成し、前記増幅信号及び調整済みエラー信号に基づいて出力信号を生成する主信号経路と、
前記主信号経路に接続され、前記入力信号及び前記増幅信号に基づいてエラー信号を生成するフィードフォワード補正回路と、
前記主信号経路に、かつ前記フィードフォワード補正回路に接続され、サンプリング済みの前記出力信号を受信し、前記サンプリング済みの前記出力信号に基づいて非オフセット制御信号を生成し、前記非オフセット制御信号をオフセット電圧と合成して制御信号を生成する制御回路とを備え、
前記フィードフォワード補正回路は、前記制御信号に基づいて前記エラー信号を調整して前記調整済みエラー信号を生成する、通信デバイス。
【発明の詳細な説明】
【技術分野】
【０００１】
本発明は概して無線通信デバイスに関し、特に無線通信デバイスのフィードフォワードリニア増幅器の部分に関する。
【背景技術】
【０００２】
周波数スペクトラムは無線通信デバイス間で共有すると制限される。従って、送信機が割り当てられた周波数スペクトラム又はチャネルで出来る限り多くの情報を隣接チャネルの他の通信デバイスに干渉することなく送信する機能が非常に重要となる。割り当てられたチャネルで出来る限り多くの情報を送信するために、デジタル通信システムは通常、無線周波数（ＲＦ）搬送波の振幅及び位相の両方を変調する。振幅変調により、位相だけが変調される場合よりも多くの情報を符号化して所定のチャネルの搬送波に載せることができる。しかしながら、振幅変調は、ＲＦ搬送波の位相だけが変調される場合には生じないような、余分な要件を送信機に課すことになる。
【０００３】
これらの余分な要件は、ＲＦ電力増幅器による振幅変調信号の増幅作用から生じる固有の非線形効果に起因する。ＲＦ電力増幅器の非線形特性により、振幅成分及び位相成分を含む信号歪成分が原信号に加えられる。ＲＦ電力増幅器の非線形性を補償するために、先行技術による多くの信号処理技術が開発されてきた。そのような技術の一つとして、フィードフォワード補正回路をフィードフォワード増幅器の中で使用する方法がある。一般的に、フィードフォワード増幅器はＲＦ電力増幅器が生成する歪成分を分離してエラー信号を生成する。次にエラー信号を増幅してＲＦ電力増幅器の出力に加えて、歪成分を最大限に打ち消すように振幅、位相及び遅延を調整する。
【０００４】
図１は先行技術の例示としてのフィードフォワード増幅器１００のブロック図である。フィードフォワード増幅器１００において、搬送波成分を有する入力信号１０２を無線周波数（ＲＦ）電力増幅器１０６に入力信号結合器１０４を通してルーティングする。ＲＦ電力増幅器１０６は信号を増幅して増幅信号１０７を生成する。上述したように、ＲＦ電力増幅器１０６は歪成分を増幅信号に付加してしまうが、この歪成分はフィードフォワード補正回路が出力するエラー信号により部分的に打ち消される。
【０００５】
フィードフォワード補正回路は、加算接合部１１６、ゲイン位相調整器１１８、及びエラー増幅器１２０を含む。加算接合部１１６は、入力信号１０２の一部を入力信号結合器１０４を通して受信し、さらに増幅信号１０７の一部をＲＦ電力増幅器１０６の出力に接続される第１出力信号結合器１０８を通して受信する。加算接合部１１６は、増幅信号の受信部分を入力信号の受信部分から差し引いてエラー信号１１７を生成する。この引き算により、増幅信号の受信部分の搬送波成分が入力信号の受信部分の搬送波成分により部分的に打ち消される。この結果、エラー信号１１７は主として増幅信号の受信部分の歪成分を含むことになる。
【０００６】
加算接合部１１６は、エラー増幅器１２０にエラー信号１１７をフィードフォワードゲイン位相調整器１１８を通して送信する。ゲイン位相調整器１１８は、制御信号１２９に基づいてエラー信号１１７のゲイン及び／又は位相を調整して増幅信号１０７の歪成分を増幅後のゲイン及び／又は位相調整済みのエラー信号１１７により打ち消すことが容易となる。次に、ゲイン位相調整器１１８は、ゲイン及び／又は位相調整済みエラー信号１１７をエラー増幅器１２０に送信する。エラー増幅器１２０は、受信済みエラー信号を増幅して増幅済みエラー信号１２１を生成し、増幅済みエラー信号を出力信号合成器１１２に送信する。出力信号合成器１１２は、増幅済みエラー信号１２１を増幅信号１０７と合成して増幅信号の歪成分を部分的に打ち消し、歪低減出力信号１１３を生成する。
【０００７】
制御信号１２９は、電力検出器１２４、相関器１２６及び積分器１２８を備える制御回路により生成される。第２出力信号結合器１１４は出力信号１１３をサンプリングして減衰出力信号１２３を生成する。第２出力信号結合器１１４は減衰出力信号１２３を検出器１２４に送信する。検出器１２４は減衰出力信号１２３の電力を検出して、検出器から相関器１２６に送信される検出信号１２５を生成する。相関器１２６は検出信号１２５を既知の基準信号と関連付けて、相関器から積分器１２８に送信される相関信号１２７を生成する。積分器１２８は相関信号１２７を積分して制御信号１２９を生成する。次に制御信号１２９は、ゲイン位相調整器１１８がエラー信号１１７のゲイン及び／又は位相を調整するために使用されて、出力信号１１３から検出された歪成分に基づいてエラー信号が調整される。
【０００８】
符号分割多重アクセス（Ｃｏｄｅ  Ｄｉｖｉｓｉｏｎ  Ｍｕｌｔｉｐｌｅ  Ａｃｃｅｓｓ：ＣＤＭＡ）通信システムでは、積分器１２８の帯域幅は、擬似雑音ＣＤＭＡ信号の音声パイロットトーンをフィルタリングするために非常に狭くなくてはならない。積分器の狭い帯域幅により相関器１２６のスルーレートが制限されて、増幅器１００がオンするか、又は瞬時にオンになるときに制御信号１２９が「供給電源」位置又は初期位置から最適（ほぼ中間電位）位置に収束するのに要する時間が３０秒にも達するようになる。また、フィードフォワード増幅器１００の制御回路は、制御信号を所定のレベルに留める、すなわち保持することが可能ではなく、フィードフォワード増幅器はフィードフォワード増幅器の性能が許容範囲から外れたときに動作を中断する。
【０００９】
図２は先行技術の別の例示としてのフィードフォワード増幅器２００のブロック図である。フィードフォワード増幅器２００は、フィードフォワード増幅器２００がデジタル処理により制御信号２０７を生成することを除いてフィードフォワード増幅器１００と同様に動作する。すなわち、フィードフォワード増幅器２００においては、減衰出力信号１２３は検出器２０２に送信され、この検出器は減衰出力信号１２３の電力を検出して検出信号に対応する第１デジタル信号２０３を生成する。検出器２０２は検出信号２０３をマイクロプロセッサ２０４に送信し、このマイクロプロセッサは検出信号を既知の基準値に関連付けてこの相関に対応する第２デジタル信号２０５を生成する。次にマイクロプロセッサ２０４は、デジタル信号２０５をデジタル−アナログ変換器（Ｄ／Ａ）２０６に送信し、このＤ／Ａ変換器はデジタル信号２０５をアナログ信号に変換して、制御信号２０７を生成する。次に制御信号２０７は、エラー信号１１７のゲイン及び／又は位相を調整するためにゲイン位相調整器１１８により使用される。
【００１０】
フィードフォワード増幅器１００とは異なり、フィードフォワード増幅器２００は制御信号を所定のレベルに留める、すなわち保持することが可能であり、フィードフォワード増幅器の性能が許容範囲から外れたときに動作を中断する。またフィードフォワード増幅器１００とは異なり、フィードフォワード増幅器２００は、どの時点でも開始することができる制御信号２０７を供給して、「供給電源」位置から収束する必要が無くなる。しかしながら、フィードフォワード増幅器２００が行なう調整は、フィードフォワード増幅器１００の連続する、ほぼ同時に生じる調整とは異なり、不連続な段階的なサイズに制限され、さらに、その調整は調整間の時間遅延により制限される。また、Ｄ／Ａ２０６は、フィードフォワード増幅器２００のフィードフォワード補正回路及び制御回路が行なう誤り訂正を制限してしまう。さらに、一旦収束すると、制御回路は、フィードフォワード増幅器２００が収束するレベルを確認するために、システムを上又は下（＋／−）に一段階分補正しなければならない。
【特許文献１】米国特許第４９８０６５２号明細書
【発明の開示】
【発明が解決しようとする課題】
【００１１】
従って、制御信号の保持制御及び連続調整を提供し、任意の時点での制御信号の開始を提供し、迅速な収束を提供し、かつシステムの収束を確認するためにシステムを上又は下の一段階分の補正が行われないフィードフォワード増幅器を実現する方法及び装置に対する要求がある。
【課題を解決するための手段】
【００１２】
制御信号の保持制御及び連続調整を提供し、任意の時点での制御信号の開始を提供し、迅速な収束を提供し、かつシステムの収束を確認するためにシステムを上又は下に一段階分の補正が行われないフィードフォワード増幅器を実現する方法及び装置に対する要求に応えるために、フィードフォワード増幅器の制御回路が提供される。この制御回路は、フィードフォワード増幅器からのサンプリング済みの出力信号を受信し、サンプリング済み出力信号に基づいて非オフセット制御信号を生成し、テーブルに保存される電圧と参照するか、又は非オフセット制御信号に基づいてオフセット電圧を別々に生成し、非オフセット制御信号をオフセット電圧と合成して制御信号を生成する。次に、フィードフォワード増幅器は、制御信号に基づいてエラー信号を調整して、フィードフォワード増幅器の歪を小さくすることが可能な調整済みエラー信号を生成する。
【００１３】
一般的に、本発明はフィードフォワード増幅器の歪を補正する方法を包含する。この方法においては、入力信号及び増幅済みの入力信号に基づいてエラー信号を求め、出力信号をサンプリングして減衰出力信号を生成し、減衰出力信号に基づいて非オフセット制御信号を生成し、オフセット電圧を生成する。この方法においてはさらに、非オフセット制御信号をオフセット電圧と合成して制御信号を生成し、制御信号に基づいてエラー信号を調整して、フィードフォワード増幅器の歪を小さくすることが可能な調整済みエラー信号を生成する。
【００１４】
本発明の別の実施形態はフィードフォワード増幅器の歪を補正する装置を包含する。この装置は制御回路を含み、この制御回路は減衰後の出力信号を受信し、減衰出力信号に基づいて非オフセット制御信号を生成し、オフセット電圧を生成し、非オフセット制御信号をオフセット電圧と合成して制御信号を生成し、制御信号は、エラー信号を調整してフィードフォワード増幅器の歪を小さくすることが可能な調整済みエラー信号を生成させることが可能である。
【００１５】
本発明のさらに別の実施形態により送信機を有する通信デバイスが提供され、この通信デバイスは、主信号経路と、主信号経路に接続されるフィードフォワード補正回路と、主信号経路に、かつフィードフォワード補正回路に接続される制御回路とを含む。主信号経路は入力信号を受信し、入力信号を増幅して増幅信号を生成し、出力信号を増幅信号及び調整済みエラー信号に基づいて生成する。フィードフォワード補正回路は、入力信号及び増幅信号に基づいてエラー信号を生成する。制御回路は、サンプリング済みの出力信号を受信し、サンプリング済みの出力信号に基づいて非オフセット制御信号を生成し、非オフセット制御信号をオフセット電圧と合成して制御信号を生成する。フィードフォワード補正回路は、制御信号に基づいてエラー信号を調整して調整済みエラー信号を生成する。
【発明を実施するための最良の形態】
【００１６】
本発明は図３〜図７Ｂを参照することにより詳細に説明される。図３は本発明の実施形態による通信デバイス３００のブロック図である。通信デバイス３００は、無線基地局であることが好ましいが、それに代えて通信デバイス３００は、情報を無線送信する機能を有する、携帯電話、無線電話又は無線モデム等の無線通信デバイスであればどのようなものであってもよい。通信デバイス３００はフィードフォワード増幅器を有する送信機３０６及び受信機３０４の各々に接続されるアンテナ３０２を含む。通信デバイス３００はさらに、一つ以上のマイクロプロセッサ、マイクロコントローラ、デジタルシグナルプロセッサ（ＤＳＰ）、これらの組み合わせ、又はこの技術分野の通常の知識を有する者に公知の他のデバイス等のプロセッサ３１０を含む。このプロセッサは、受信機３０４及び送信機３０６の各々に接続され、さらにメモリデバイス３１２及び情報ソース３１４に接続される。ランダムアクセスメモリ（ＲＡＭ）、ダイナミックランダムアクセスメモリ（ＤＲＡＭ）及び／又はリードオンリーメモリ（ＲＯＭ）又はこれらの等価物等のメモリデバイス３１２は、通信デバイス３００の動作中にプロセッサ３１０が実行するデータ及びプログラムを保存する。情報ソース３１４は、通信デバイス３００の外部のデバイス又はネットワークのインターフェイスを備えるか、又は別の構成として、携帯電話又は無線電話の場合にユーザインターフェイスとすることができるか、又は別の実施形態において、プロセッサ３１０に含まれてプロセッサで実行されるアプリケーションとすることができる。
【００１７】
情報ソース３１４又は受信機３０４は情報をプロセッサ３１０に送出する。プロセッサ３１０は、情報を公知の信号処理技術に従って処理し、次に処理情報を含む信号を送信機３０６に送信する。送信機３０６は、情報を変調して無線周波数（ＲＦ）搬送波に載せてＲＦ信号を生成し、ＲＦ信号をフィードフォワード増幅器３０８にルーティングし、この増幅器がこの信号を増幅してアンテナ３０２を通して送信する。
【００１８】
次に図４及び５を参照すると、本発明の実施形態によるフィードフォワード増幅器３０８の動作が示されている。図４は本発明の実施形態によるフィードフォワード増幅器３０８のブロック図である。図４に示すように、フィードフォワード増幅器３０８は、フィードフォワード補正回路４１８及び制御回路４３０の各々に接続される主信号経路（４０６，４０８，４１２，４１４）を含む。図５はフィードフォワード増幅器３０８が本発明の実施形態に従って歪低減出力信号を生成するために実行するステップの論理フロー図５００である。論理フロー図５００が始まると（５０２）、搬送波成分を含むＲＦ信号４０２がフィードフォワード増幅器に印加される（５０４）。フィードフォワード増幅器３０８は、入力信号４０２を主信号経路にルーティングし、このパスで入力信号が入力信号結合器４０４、好適には方向性結合器を通して無線周波数（ＲＦ）電力増幅器４０６にルーティングされる。ＲＦ電力増幅器４０６は、電力トランジスタ、入出力マッチングネットワーク、バイアス及び分離回路等のＲＦ増幅素子を必要に応じて含み、これによりＲＦ増幅素子の機能を実現することができ、かつ適切なバイアスをＲＦ増幅素子に供給することができる。
【００１９】
ＲＦ電力増幅器４０６は入力信号を増幅して（５０６）増幅信号４０７を生成する。この増幅信号は増幅搬送波成分を含み、さらに電力増幅器が増幅信号に付加してしまう歪成分を含む。歪成分は、電力増幅器が振幅範囲全体に渡って駆動されるときのＲＦ電力増幅器４０６の振幅圧縮特性及び位相歪特性に起因するものであり、歪成分が補償されない場合には、この歪成分はスペクトラムの隣接チャネルへの拡散を生じさせ、従って隣接チャネルを使用する通信デバイスへの干渉の原因となる。次にＲＦ電力増幅器４０６は第１出力信号結合器４０８を通して出力信号合成器４１２に増幅信号４０７を送信する。
【００２０】
増幅信号４０７の歪成分を打ち消すために、フィードフォワード補正回路４１８は、エラー信号４２２を入力信号４０２及び増幅信号４０７に基づいて生成する（５０８）。入力信号結合器４０４は、入力信号４０２をサンプリングして減衰入力信号を生成し、減衰入力信号をフィードフォワード補正回路４１８に含まれるフィードフォワード補正回路加算接合部４２０に送信する。
【００２１】
信号結合器４０８、好適には方向性結合器は、増幅信号４０７をサンプリングして減衰増幅信号を生成し、減衰増幅信号を加算接合部４２０に送信する。加算接合部４２０は、減衰増幅信号及び減衰入力信号の各々を結合し、好適には減衰増幅信号を減衰入力信号から差し引いてエラー信号４２２を生成する。減衰増幅信号を減衰入力信号から差し引くことにより、減衰増幅信号の搬送波成分を減衰入力信号の搬送波成分だけ部分的に打ち消すことになる。この結果、エラー信号４２２は主として、増幅信号４０７の歪成分に対応する減衰増幅信号の歪成分を含むことになる。
【００２２】
加算接合部４２０は、フィードフォワード補正回路４１８に含まれるエラー増幅器４２６にエラー信号４２２をフィードフォワード補正回路に含まれるゲイン位相調整器４２４を通して送信する。制御回路４３０から受信する制御信号４７０に応答して、ゲイン位相調整器４２４はエラー信号４２２の振幅及び／又は位相を調整して（５１０）、振幅及び／又は位相調整済みエラー信号４２５を生成する。エラー信号４２２の振幅及び位相の調整は、増幅信号４０７の歪成分を出力信号合成器４１２で最大限に打ち消すことが容易になるように行なわれる。ゲイン位相調整器４２４は、調整済みエラー信号４２５をエラー増幅器４２６に送信し、エラー増幅器は調整済みエラー信号を増幅して（５１２）、増幅済みエラー信号４２７を生成する。増幅済みエラー信号４２７は、増幅済みのエラー信号４２２に対応するエラー成分を含み、さらに、増幅済みエラー信号４２７は、エラー増幅器の非線形特性に起因して増幅済みエラー信号に付加されるエラー信号歪成分を含み得る。
【００２３】
次にエラー増幅器４２６は、増幅済みエラー信号４２７を出力信号合成器４１２、好ましくは方向性結合器に送信する。出力信号合成器４１２は、増幅済みエラー信号４２７と増幅信号４０７とを合成し（５１４）、好ましくは後者から前者を差し引いて、増幅信号４０７の歪成分を打ち消し、歪低減出力信号４１３を生成する。
【００２４】
入力信号４０２は、フィードフォワード増幅器３０８に継続的に印加され、かつＲＦ電力増幅器４０６により増幅されるアナログ信号であり、エラー信号４２２は、フィードフォワード補正回路４１８により継続的に生成され、調整され、増幅されるエラー信号であるので、ステップ５０６〜５１４は、フィードフォワード増幅器を瞬時にオフするか、又はフィードフォワード増幅器の電源をオフするか、或いは入力信号が終了する（５１６）までフィードフォワード増幅器３０８により継続的に実行されるループを含む。次に、論理フロー５００が終了する（５１８）。
【００２５】
制御回路４３０は、非オフセット制御信号発生器４４０及びオフセット電圧発生器４５０を備え、それぞれ加算器４３２に接続される。非オフセット制御信号発生器４４０は、アナログ非オフセット制御信号を出力信号４１３に基づいて生成して、ゲイン位相調整器４２４によるエラー信号４２２の調整に使用する。好適には、非オフセット制御信号発生器４４０は検出器４４２と、検出器に接続される相関器４４４と、相関器に接続される積分回路４４６とを備える。オフセット電圧発生器４５０は、非オフセット制御信号発生器４４０により生成される非オフセット制御信号を相殺する役割を有する不連続オフセット電圧を生成する。好適には、オフセット電圧発生器４５０は、デジタル−アナログ変換器（Ｄ／Ａ）４５８に接続されるマイクロプロセッサ４５２を含む。この技術分野の当業者であれば、アナログ非オフセット制御信号を出力信号に基づいて生成する非オフセット制御信号発生器を実現し、さらに制御信号のオフセット電圧を生成するオフセット電圧発生器を実現する多くの方法があることを理解できるものであり、これらの具体例は、本発明の技術思想及び技術範囲から逸脱しない範囲で本明細書において使用され得る。
【００２６】
図６は本発明の一つの実施形態による、制御信号４７０等の制御信号を生成し、エラー信号４２２等のエラー信号を調整する際にフィードフォワード増幅器３０８が実行するステップの論理フロー図６００を示している。論理フロー６００が始まると（６０２）、入力信号４０２がフィードフォワード増幅器３０８に印加される（６０４）。オフセット電圧発生器４５０は、オフセット電圧発生器から加算器４３２に送出される初期、即ち第１オフセット電圧を生成する（６０６）。加算器４３２は、初期、即ち第１制御信号４７０を初期オフセット電圧に基づいて生成し（６０８）、初期制御信号をゲイン位相調整器４２４に送信する。次にゲイン位相調整器４２４は、エラー信号４２２を初期制御信号４７０に基づいて調整する（６１０）。
【００２７】
好適には、オフセット電圧発生器４５０は、オフセット電圧をマイクロプロセッサ４５２が設定するオフセット値に基づいて生成する。好適には初期オフセット電圧は、制御信号４７０が最良又は最適電圧より少し低い電圧から始まって、積分回路４４０がほぼゼロ電圧レベルの非オフセット制御信号を生成することを許容するような電圧である。後続の期間がそれぞれ終了した後、オフセット電圧発生器４５０が生成するオフセット電圧を少しだけ小さくすることにより、積分回路４４６を少しだけ高い値に再度収束させる、すなわち積分回路に少しだけ高い電圧の非オフセット制御信号を生成させる。積分回路４４６の新規の収束電圧の各々が前の電圧よりも少し高いだけであるので、収束が速く、フィードフォワード補正回路４１８により生成される増幅及び調整済みエラー信号は小さい値に維持される。
【００２８】
本発明の一つの実施形態においては、マイクロプロセッサ４５２はオフセット値を、オフセット値のデータベース４５６又はテーブルを保持しているメモリ４５４から値を取り出すことにより設定する。本発明の別の実施形態においては、メモリ４５４はアルゴリズムとして保存される固定電圧波形パターンを保持することができる。次にマイクロプロセッサ４５２はオフセット値をアルゴリズムを実行することにより設定する。次にマイクロプロセッサ４５２はオフセット値をＤ／Ａ４５８に送信する。Ｄ／Ａ４５８は、オフセット値をオフセット電圧に変換し、オフセット電圧を加算器４３２に送信する。
【００２９】
本発明の別の実施形態、すなわちマイクロプロセッサ４５２を積分回路４４６に接続する閉ループフィードバックの実施形態においては、オフセット電圧発生器４５０がフィードバック後の出力信号４１３に基づいてオフセット電圧を生成することができる。閉ループフィードバックの実施形態においては、非オフセット制御信号発生器４４０が生成する非オフセット制御信号をオフセット電圧発生器４４０に接続する。非オフセット制御信号に基づいて、マイクロプロセッサ４５２は、メモリ４５４に保存されるデータベース４５６、又は固定電圧波形パターンを参照してオフセット値を設定する。次にマイクロプロセッサ４５２はオフセット値をＤ／Ａ４５８に送信し、Ｄ／Ａはオフセット値をオフセット電圧に変換して、オフセット電圧を加算器４３２に送信する。閉ループフィードバックを利用することにより、オフセット電圧発生器４５０は、フィードフォワード増幅器３０８が生成する出力信号に基づいて加算器４３２に供給されるオフセット電圧を動的に調整することができる。
【００３０】
次に制御信号４７０を出力信号４１３に基づいて変調する。第２出力信号結合器４１４、好適には方向性結合器は、出力信号４１３を受信し、出力信号をサンプリングして（６１２）、減衰出力信号を生成する。信号結合器４１４は、減衰出力信号を制御回路４３０、特に非オフセット制御信号発生器４４０に送信する。減衰出力信号に基づいて、非オフセット制御信号発生器４４０は、非オフセット制御信号発生器から加算器４３２に送出される非オフセット、即ち未調整制御信号を生成する（６１４）。
【００３１】
非オフセット制御信号発生器４４０は、非オフセット制御信号を次のようにして生成する。減衰出力信号を信号結合器４１４から受信すると、非オフセット制御信号発生器４４０は減衰出力信号を検出器４４２にルーティングする。検出器４４２は、第１減衰出力信号のエネルギーを検出して、検出器から相関器４４４に送信される検出信号を生成する。例えば、検出器４４２は、第１減衰出力信号の電力レベルを検出する電力検出器を含むことができる。電力検出器の例として、平均、即ちＲＭＳ電力検出器、ピーク電力検出器、Ａｎａｌｏｇ  Ｄｅｖｉｃｅｓ社から入手可能なＡＤ８３１３対数検出器等の対数パワー（ｌｏｇ  ｐｏｗｅｒ）検出器、及びログ検出器の機能、又は平均電力検出器、ピーク電力検出器及び対数パワー検出器の内の２つ以上を組み合わせた機能を実現するのに必要な関連する回路、が挙げられる。相関器４４４は、検出信号を既知の基準信号に関連付けて、相関器から積分回路４４６に送信される相関信号を生成する。積分回路４４６は、相関信号を積分して非オフセット、即ち未調整制御信号を生成する。次に積分回路４４６は非オフセット制御信号を加算器４３２に送信する。
【００３２】
加算器４３２、好適にはオペアンプ（ｏｐ  ａｍｐ）は、非オフセット、即ち未調整制御信号をオフセット電圧発生器４５０から加算器に送出されるオフセット電圧と合成（６１６）、好ましくは合算して、オフセット制御信号発生器４４０から送出される非オフセット制御信号の相殺又は調整済みのものである第２制御信号を生成する。次に第２制御信号が加算器４３２によりゲイン位相調整器４２４に送信され、ゲイン位相調整器４２４は、エラー信号４２２のゲイン及び／又は位相を第２制御信号に基づいて調整し（６１８）、エラー信号が出力信号４１３から検出される歪成分に基づいて調整され、出力信号３２１の歪成分のエネルギーが減少する。
【００３３】
オフセット電圧発生器４５０が生成するオフセット電圧は不連続電圧であり、この不連続電圧により制御回路４３０からゲイン位相調整器４２４に向けて送出される制御信号４７０を段階的に調整することが可能になる。非オフセット制御信号発生器４４０が生成する非オフセット制御信号はアナログ制御信号であり、このアナログ制御信号により制御回路４３０からゲイン位相調整器４２４に向けて送出される制御信号４７０を連続的に微調整することが可能になる。初期オフセット電圧に基づき、目標電圧レベルに設定される初期制御信号を供給し、非オフセット制御信号が増幅時に増大するにつれてオフセット電圧を小さくすることにより、非オフセット制御信号発生器、及び特に積分回路４４６が非オフセット制御信号の振幅を徐々に線形的に増大させる間に、制御回路４３０からゲイン位相調整器４２４に向けて送出される制御信号４７０は瞬時に目標電圧レベルに収束し、ほぼ目標電圧を維持することができる。
【００３４】
好適には、オフセット電圧発生器４５０が送出するオフセット電圧を、オフセット電圧を最後に調整した後、オフセット電圧再調整期間が終了する（６２０）毎に調整するか、又は段階的に変化させる。好適には、一つ以上のオフセット電圧再調整期間は、メモリ４５４に保持される。次にマイクロプロセッサ４５２は、各オフセット電圧再調整期間をメモリ、及びマイクロプロセッサに接続されたタイマー４６０を参照して設定する。初期オフセット電圧は、フィードフォワード増幅器３０８の電源をオンしたときに、非オフセット制御信号発生器４４０及び特に積分回路４４６の目標電圧がほぼゼロとなるように設定される。次に、オフセット電圧期間及びそれに続いて設定されるオフセット電圧は、積分回路が追跡できるように積分回路４４６の目標電圧が緩慢に増大するように設定される。
【００３５】
オフセット電圧再調整期間が未だ終了しない場合（６２０）、オフセット電圧発生器４５０は、オフセット電圧をほぼ一定に維持し（６２２）、その間、非オフセット制御信号発生器４４０は非オフセット制御信号を、さらに出力信号４１３をサンプリングしながら繰り返し再調整する（６１２，６１４）。すなわち、オフセット電圧を不連続に調整する間に、電圧発生器４５０はオフセット電圧をほぼ一定に維持し、その間、非オフセット制御信号発生器４４０、特に積分回路４４６は非オフセット制御信号の振幅を徐々に線形的に増大させる。次にほぼ一定のオフセット電圧を、繰り返し再調整した非オフセット制御信号と合成して（６１６）、制御回路４３０からゲイン位相調整器４２４に向けて送出される繰返し再調整制御信号４７０を生成し、この制御信号はゲイン位相調整器により利用されて、エラー信号４２２が繰返し再調整される（６１８）。
【００３６】
所定の期間が終了すると（６２０）、オフセット電圧発生器４４０、好適にはマイクロプロセッサ４５２は、オフセット電圧がゼロにまで減少したかどうかを判断する（６２４）。オフセット電圧がゼロにまで減少しなかった場合（６２４）、オフセット電圧発生器４４０は次のオフセット電圧を上に詳述したプロセスにより生成し（６２６）、論理フロー図６００はステップ６１２に戻る。次にフィードフォワード増幅器３０８はステップ６１２〜６２４を繰り返す。オフセット電圧がゼロにまで減少すると（６２４）、論理フロー図６００は終了する（６２８）。
【００３７】
所定値に設定されるオフセット電圧を含む制御信号４７０を供給することにより、フィードフォワード増幅器３０８は、制御信号を最適電圧に先行技術のフィードフォワード増幅器よりもより速く収束させることが可能となり、この場合、先行技術のフィードフォワード増幅器は電源又は「スタート」位置から最適な、通常ほぼ中央位置に変化するのに３０秒もの時間を要する。オフセット電圧発生器４５０が生成するオフセット電圧は時間とともに変化する。送信機３０６がオンするときにオフセット電圧を前もって最良の値よりもほんの少し小さい値に設定することにより、積分回路４４６の出力、すなわち非オフセット制御信号をほぼゼロとすることができる。後続の期間がそれぞれ終了した後、オフセット電圧発生器４５０により生成されるオフセット電圧が少しの量だけ小さくなると、積分回路４４６が少し高い値に再収束する、すなわち積分回路が少し高い電圧の非オフセット制御信号を生成する。積分回路４４６の各新たな収束電圧がその前の電圧よりも少し高いだけであるので、収束は速く、フィードフォワード補正回路４１８により生成される増幅及び調整済みエラー信号は、小さい値に維持される。好適には、オフセット電圧を小さくし、積分回路４４６、すなわち非オフセット制御信号を再収束させるこのプロセスは、オフセット電圧がゼロに低減され、積分回路が正しい値に収束するまで継続して繰り返される。このように制御信号４７０は、先行技術に見られるように時間を掛けて線形的に増えるのではなく、ほぼ一定の最適電圧に保たれる。また、デジタル的に調整したオフセット電圧をアナログ非オフセット制御信号と合成することにより、非オフセット制御信号発生器４４０により段階的ではない方法で制御信号４７０を調整することができるので、送信機３０６の電源をオンする際に制御信号４７０及びエラー信号４２２、引いては出力信号４１３を微調整することができる。
【００３８】
本発明の別の実施形態においては、フィードフォワード増幅器３０８はある期間に渡って積分回路４４６の動作を中断し、その間、入力信号４０２をフィードフォワード増幅器から切り離し、続いて、フィードフォワード増幅器に同じ又は異なる入力信号４０２を印加する。図７Ａ及び７Ｂは、本発明の別の実施形態による、制御信号を生成してエラー信号を調整する際にフィードフォワード増幅器３０８が実行するステップの論理フロー図７００を示している。論理フロー７００が始まると（７０２）、フィードフォワード増幅器３０８が制御信号４７０等の第１制御信号を第１入力信号４０２に基づいて生成し（７０４）、制御信号のレベルの電圧、すなわち加算器４３２により出力される電圧を一つ以上のメモリデバイス４５４に保存する。好適にはフィードフォワード増幅器３０８は、論理フロー図６００に関して上に記載したように、第１制御信号を生成する。通信デバイス３００は、第１入力信号４０２をフィードフォワード増幅器３０８から切り離し（７０８）、さらに電源を積分回路４４６から切り離す（７１０）。例えば、通信デバイス３００に含まれるスイッチ（図示せず）は、通信デバイスに含まれる電源（図示せず）を積分回路から切り離すことができる。
【００３９】
入力信号４０２をフィードフォワード増幅器３０８から切り離すことに応答して、オフセット電圧発生器４５０はオフセット電圧発生器が生成するオフセット電圧を調整して（７１２）、制御信号４７０の電圧を保存制御信号電圧レベルにほぼ等しいレベルに維持する。好適にはオフセット電圧発生器４５０は、Ｄ／Ａ４５８の電圧を調整して、加算器４３２の出力を保存電圧レベルに維持する。例えば、マイクロプロセッサ４５２は一つ以上のメモリデバイス４５４に保存されるルックアップテーブルを参照し、保存電圧レベルに基づいてある値をＤ／Ａ４５８に送出し、このＤ／Ａ４５８が制御信号４７０の電圧を保存電圧レベルに維持する。別の例では、電圧波形パターンを一つ以上のメモリデバイス４５４に保存することができる。マイクロプロセッサ４５２は、電圧波形パターンを参照し、保存電圧レベルに基づいて、ある値をＤ／Ａ４５８に送出し、このＤ／Ａ４５８が制御信号４７０の電圧を保存電圧レベルに維持する。オフセット電圧発生器４５０が生成する調整済みオフセット電圧に基づいて、制御回路４３０は、ゲイン位相調整器４２４に送出される第２制御信号４７２を生成し（７１４）、この場合この第２制御信号は第１制御信号４７０と同じ、又は調整済みの第１制御信号４７０とすることができる。
【００４０】
入力信号４０２をフィードフォワード増幅器３０８から切り離すことに続いて、通信デバイス３００は第２入力信号４０３をフィードフォワード増幅器に印加し（７１６）、再度、電源を積分回路４４６に接続する（７１８）。フィードフォワード増幅器３０８は、上に詳述したようにエラー信号４２３を第２入力信号４０３に基づいて生成し（７２０）、ゲイン位相調整器４２４はエラー信号４２３のゲイン及び／又は位相を第２制御信号４７２に基づいて、すなわち今度は保存電圧レベルに基づいて調整する（７２２）。次にフィードフォワード増幅器は、ステップ７２４〜７４０で、論理フロー図６００に関連して上に記載したステップ６１２〜６２８と同様な機能を実行する。すなわち、出力信号結合器４１４が出力信号４１３を受信し、出力信号をサンプリングして（７２４）、減衰出力信号を生成する。信号結合器４１４は減衰出力信号を制御回路４３０に、特に非オフセット制御信号発生器４４０に送信する。減衰出力信号に基づいて、非オフセット制御信号発生器４４０は、非オフセット制御信号発生器から加算器４３２に送出される非オフセット、即ち未調整制御信号を生成する（７２６）。
【００４１】
加算器４３２は非オフセット、即ち未調整制御信号を、オフセット電圧発生器４５０が加算器に向けて送出するオフセット電圧と合成して調整済み第２制御信号を生成する。この調整済み第２制御信号は、非オフセット制御信号発生器４４０から送出されるオフセット処理後、即ち調整済みの非オフセット制御信号である。次に調整済み第２制御信号は加算器４３２によってゲイン位相調整器４２４に送信され、ゲイン位相調整器４２４は、調整済み第２制御信号に基づいてエラー信号４２３のゲイン及び／又は位相を調整し（７３０）、出力信号４１３から検出される歪成分に基づいてエラー信号が調整され、出力信号３２１の歪成分のエネルギーが減少する。
【００４２】
オフセット電圧再調整期間が終了しないと（７３２）、オフセット電圧発生器４４０はオフセット電圧をほぼ一定に保持し（７３４）、その間、非オフセット制御信号発生器４４０は非オフセット制御信号を、さらに出力信号４１３をサンプリングしながら繰り返し再調整する（７２４，７２６）。ほぼ一定のオフセット電圧を繰返し再調整済みの非オフセット制御信号と合成して（７２８）、制御回路４３０からゲイン位相調整器４２４に送出される繰返し再調整済み制御信号４７０を生成し、この場合、この制御信号はゲイン位相調整器が利用してエラー信号４２２を繰り返し再調整する（７３０）。
【００４３】
所定の期間が終了すると（７３２）、オフセット電圧発生器４５０、好適にはマイクロプロセッサ４５２は、オフセット電圧が減少してゼロに減少したかどうかを判断する（７３６）。オフセット電圧が減少してゼロになっていない場合（７３６）、オフセット電圧発生器４５０は次のオフセット電圧を上に詳述したプロセスにより生成し（７３８）、論理フロー図７００はステップ７２４に戻る。次にフィードフォワード増幅器３０８はステップ７２４〜７３６を繰り返す。オフセット電圧が減少してゼロになると（７３６）、論理フロー図７００は終了する（７４０）。
【００４４】
維持すべき制御信号電圧レベルを入力信号を送信機から切り離した状態で生成し、入力信号が次にフィードフォワード増幅器に接続されるときに、再印加されるべき維持電圧レベルの制御信号をフィードフォワード増幅器３０８に供給することにより、フィードフォワード増幅器３０８は、制御プロセスを再スタートさせる必要を生じることなく回路動作を中断し、再開することができる制御回路を実現することができる。これは、オフセット電圧発生器４５０の中断後開始オフセット電圧が制御信号４７０の最後の既知の値に修正されることを除いて、図６に関連して記載した収束プロセスと同様である。このような中断により、信号が切り離されて再びフィードフォワード増幅器３０８に接続された後に制御回路４３０が再度制御信号を線形的に増大させる必要を減らすことができ、積分回路４４６の収束時間を先行技術の積分回路よりも短くすることができる。
【００４５】
本発明を特に、その特定の実施形態を参照しながら示し、記載してきたが、この技術分野の当業者であれば、以下の請求項に示す本発明の技術範囲から逸脱しない限りにおいて種々の変更を加え、これらの実施形態の構成要素を均等物で置き換え得ることは理解できるものと思われる。従って、本明細書及び図面は制限的な意味としてではなく例示として捉えられるべきであり、このような変更及び代替物の全てが本発明の技術範囲に包含されるべきものである。
【００４６】
効果、他の利点、及び問題解決法が特定の実施形態に関連する形で上に記載されてきた。しかしながら、効果、利点、問題解決法、及びこのような効果、利点、又は問題解決法をもたらし、又はさらに顕著にさせるすべての要素（群）が、いずれかの請求項又は全ての請求項の必須の、必要な、又は基本的な特徴、或いは要素であると考えられるべきではない。この明細書で使用されるように、「備える」、「備えている」という用語、又は他のすべてのこれらの変形は包括的な意味を指すものであり、例えば一連の要素を備えるプロセス、方法、製品、又は装置がこれらの要素のみを含む、ということではなく、明らかには挙げられていないか、又はそのようなプロセス、方法、製品、又は装置に固有の他の要素を含むことができる。さらに、第１及び第２、頂部及び底部などのような関係を示す用語があるとすればそれらは、一つのエンティティ又は作用を別のエンティティ又は作用から区別するためにのみ使用し、必ずしもそのようなエンティティ又は作用の間の実際のそのような関係又は順序を必要とするか、又は意味するものではないことも理解されたい。
【図面の簡単な説明】
【００４７】
【図１】先行技術の例示としてのフィードフォワード増幅器のブロック図である。
【図２】先行技術の別の例示としてのフィードフォワード増幅器のブロック図である。
【図３】本発明の実施形態による通信デバイスのブロック図である。
【図４】本発明の実施形態による図３のフィードフォワード増幅器のブロック図である。
【図５】本発明の実施形態による、歪低減出力信号を生成する際に図４のフィードフォワード増幅器が実行するステップの論理フロー図である。
【図６】本発明の実施形態による、制御信号を生成し、エラー信号を調整する際に図４のフィードフォワード増幅器が実行するステップの論理フロー図である。
【図７Ａ】本発明の別の実施形態による、制御信号を生成し、エラー信号を調整する際に図４のフィードフォワード増幅器が実行するステップの論理フロー図である。
【図７Ｂ】図７Ａの論理フロー図の続きであり、本発明の別の実施形態による、制御信号を生成し、エラー信号を調整する際に図４のフィードフォワード増幅器が実行するステップを示す。
【図１】
2005027308.tif 000003
【図２】
2005027308.tif 000004
【図３】
2005027308.tif 000005
【図４】
2005027308.tif 000006
【図５】
2005027308.tif 000007
【図６】
2005027308.tif 000008
【図７Ａ】
2005027308.tif 000009
【図７Ｂ】
2005027308.tif 000010
【外国語明細書】
2005027308.tif 000011
2005027308.tif 000012
2005027308.tif 000013
2005027308.tif 000014
2005027308.tif 000015
2005027308.tif 000016
2005027308.tif 000017
2005027308.tif 000018
2005027308.tif 000019
2005027308.tif 000020
2005027308.tif 000021
2005027308.tif 000022
2005027308.tif 000023
2005027308.tif 000024
2005027308.tif 000025
2005027308.tif 000026
2005027308.tif 000027
2005027308.tif 000028
2005027308.tif 000029
2005027308.tif 000030
2005027308.tif 000031
2005027308.tif 000032
2005027308.tif 000033
2005027308.tif 000034
2005027308.tif 000035
2005027308.tif 000036
2005027308.tif 000037
2005027308.tif 000038
2005027308.tif 000039
2005027308.tif 000040